(57)【特許請求の範囲】
【請求項１】
エレクトロルミネッセンス素子を有する発光パネルと、前記発光パネルを着脱自在に取り付け可能な器具本体とを備え、前記発光パネルは、前記器具本体側となる裏面が第１の曲面に形成され、前記器具本体は、前記発光パネル側となる一面が前記第１の曲面に対応する第２の曲面に形成されており、前記発光パネルの前記器具本体側と前記器具本体の前記発光パネル側との一方に、前記発光パネルを前記第１の曲面もしくは前記第２の曲面に沿って前記器具本体にスライド自在に着脱するための取付部が設けられ、他方に、前記取付部をスライド可能とする溝部が設けられ、
前記発光パネルは、前記発光パネルのスライド方向の両端部の各々に、表面側、側面側および裏面側が開放された切欠き部が設けられ、
前記溝部には、前記発光パネルのスライド方向の両端部の各々に、前記取付部を挿抜可能とする開口部が設けられ、
前記取付部は、前記発光パネルのスライド方向の両端部の各々に、前記発光パネルの表面を含む平面に対して斜め後方に傾斜する傾斜面が形成されていることを特徴とする照明器具。
【請求項２】
前記取付部と前記溝部との一方に、前記発光パネルへ給電するための第１端子が設けられ、他方に、前記第１端子と電気的に接続可能な第２端子が設けられてなり、前記第１端子は、前記発光パネルが前記器具本体に取り付けられた状態において、前記第２端子と電気的に接続される位置に配置されることを特徴とする請求項１記載の照明器具。
【請求項３】
前記発光パネルの前記第１の曲面側と前記器具本体の前記第２の曲面側との一方に凸部が設けられ、他方に、前記発光パネルが前記器具本体に取り付けられた状態において、前記凸部が係合する凹部が設けられてなることを特徴とする請求項１または請求項２記載の照明器具。
【発明の詳細な説明】
【技術分野】
【０００１】
本発明は、照明器具に関するものである。
【背景技術】
【０００２】
従来から、天井に配設される発光パネル式照明器具が提案されている（例えば、特許文献１）。この発光パネル式照明器具は、図１２に示すように、表面６１ａから下方に光を放射する板状の発光パネル６１と、発光パネル６１を裏面６１ｂ側から覆って収容する筐体６３と、筐体６３内に配設され発光パネル６１を保持する保持部材６２とを備えている。
【０００３】
発光パネル６１は、基板（図示せず）と、この基板の上面に積層された第１電極層、有機発光層および第２電極層からなる有機ＥＬ層（図示せず）と、第１封止部材（図示せず）および第２封止部材（図示せず）とを備えている。第１封止部材および第２封止部材は、基板と有機発光層を気密に封止する。なお、基板の下面が、発光パネル６１の表面６１ａを構成している。
【０００４】
筐体６３は、天井７０に取り付けられるものであり、下方に開口する凹部６４と、この凹部６４の開口周縁部から外側に広がるつば部６５とを有している。凹部６４の底壁には、保持部材６２を揺動可能に支持するための回動支持部６６が設けられるとともに、保持部材６２を凹部６４内で着脱可能に固定するための被係合部６７が設けられている。
【０００５】
保持部材６２は、筐体６３の回動支持部６６に回動自在に支持される被回動支持部６８を有している。また、保持部材６２は、筐体６３の被係合部６７に着脱可能に係合する係合部６９を有している。なお、特許文献１には、係合部６９と被係合部６７との係合状態を解錠するために、保持部材６２に対して図略の治具を引っ掛けて下方に無理引きする旨が記載されている。
【先行技術文献】
【特許文献】
【０００６】
【特許文献１】特開２００７−２５０３０２号公報
【発明の概要】
【発明が解決しようとする課題】
【０００７】
ところで、図１２に示した構成の発光パネル式照明器具では、発光パネル６１を交換するために、発光パネル６１を保持する保持部材６２の係合部６９と筐体６３の被係合部６７との係合状態を解除するための治具が必要となる。また、この発光パネル式照明器具では、係合部６９と被係合部６７との係合状態を解除するために、保持部材６２に対して上述の治具を引っ掛けて下方に無理引きする必要があるので、発光パネル６１の交換が難しかった。
【０００８】
本発明は上記事由に鑑みて為されたものであり、その目的は、器具本体に対して発光パネルを着脱するための作業性を向上させることが可能な照明器具を提供することにある。
【課題を解決するための手段】
【０００９】
本発明の照明器具は、エレクトロルミネッセンス素子を有する発光パネルと、前記発光パネルを着脱自在に取り付け可能な器具本体とを備え、前記発光パネルは、前記器具本体側となる裏面が第１の曲面に形成され、前記器具本体は、前記発光パネル側となる一面が前記第１の曲面に対応する第２の曲面に形成されており、前記発光パネルの前記器具本体側と前記器具本体の前記発光パネル側との一方に、前記発光パネルを前記第１の曲面もしくは前記第２の曲面に沿って前記器具本体にスライド自在に着脱するための取付部が設けられ、他方に、前記取付部をスライド可能とする溝部が設けられ、前記発光パネルは、前記発光パネルのスライド方向の両端部の各々に、表面側、側面側および裏面側が開放された切欠き部が設けられ、前記溝部には、前記発光パネルのスライド方向の両端部の各々に、前記取付部を挿抜可能とする開口部が設けられ、前記取付部は、前記発光パネルのスライド方向の両端部の各々に、前記発光パネルの表面を含む平面に対して斜め後方に傾斜する傾斜面が形成されていることを特徴とする。
【００１０】
この照明器具において、前記取付部と前記溝部との一方に、前記発光パネルへ給電するための第１端子が設けられ、他方に、前記第１端子と電気的に接続可能な第２端子が設けられてなり、前記第１端子は、前記発光パネルが前記器具本体に取り付けられた状態において、前記第２端子と電気的に接続される位置に配置されることが好ましい。
【００１２】
この照明器具において、前記発光パネルの前記第１の曲面側と前記器具本体の前記第２の曲面側との一方に凸部が設けられ、他方に、前記発光パネルが前記器具本体に取り付けられた状態において、前記凸部が係合する凹部が設けられてなることが好ましい。
【発明の効果】
【００１３】
本発明の照明器具においては、器具本体に対して発光パネルを着脱するための作業性を向上させることが可能となる。
【図面の簡単な説明】
【００１４】
【図１】実施形態１の照明器具の概略分解斜視図である。
【図２】同上の照明器具において、発光パネルの一部が器具本体に取り付けられた状態の概略分解斜視図である。
【図３】同上の照明器具の斜視図である。
【図４】同上の照明器具を示し、図３のＡ−Ａ断面図である。
【図５】同上の照明器具を示し、（ａ）は図３のＢ−Ｂ断面図、（ｂ）は凸部と凹部との係合を説明する説明図である。
【図６】同上の照明器具の発光パネルを示し、（ａ）は斜視図、（ｂ）は（ａ）の要部拡大図である。
【図７】同上の照明器具の器具本体を示し、（ａ）は斜視図、（ｂ）は（ａ）の要部拡大図である。
【図８】同上の照明器具において、器具本体に対する発光パネルの着脱方法を説明する説明図である。
【図９】同上の照明器具の使用例に関し、（ａ）は斜視図、（ｂ）は（ａ）のＣ−Ｃ断面図である。
【図１０】同上の照明器具の使用例に関し、器具本体から発光パネルを取り外した状態を示す説明図である。
【図１１】実施形態２の照明器具に関し、（ａ）は発光パネルの斜視図、（ｂ）は器具本体の斜視図である。
【図１２】従来例の発光パネル式照明器具に関し、（ａ）は保持部材を筐体内で固定した状態の断面図、（ｂ）は保持部材から発光パネルを取り外した状態の断面図である。
【発明を実施するための形態】
【００１５】
（実施形態１）
以下、本実施形態の照明器具について、図１〜図１０を参照しながら説明する。
【００１６】
本実施形態の照明器具２０は、エレクトロルミネッセンス素子３を有する発光パネル５と、発光パネル５を着脱自在に取り付け可能な箱状の器具本体１とを備えている。本実施形態の照明器具２０では、エレクトロルミネッセンス素子３として、有機エレクトロルミネッセンス素子を用いているが、これに限らず、無機エレクトロルミネッセンス素子を用いてもよい。また、本実施形態の照明器具２０では、エレクトロルミネッセンス素子３の発光色を白色としているが、エレクトロルミネッセンス素子３の発光色は、これに限るものではない。
【００１７】
エレクトロルミネッセンス素子３の外周形状は、矩形状に形成されている。
【００１８】
また、エレクトロルミネッセンス素子３は、板状（本実施形態では、矩形板状）の回路基板３ａと、回路基板３ａの一表面側（図４では、上面側）に配置され発光層（図示せず）を含む板状（本実施形態では、矩形板状）の発光体３ｂと、発光体３ｂの一表面側（図４では、上面側）に配置された板状（本実施形態では、矩形板状）のガラス基板３ｃとを有している。なお、本実施形態の照明器具２０では、発光体３ｂの一表面側に図示しない第１の電極（例えば、透明な導電膜からなる陽極）を設け、発光体３ｂの他表面側（図４では、下面側）に図示しない第２の電極（例えば、陰極）を設けている。また、発光体３ｂの外周形状は、ガラス基板３ｃの外周形状よりも小さな形状となっており、回路基板３ａの外周形状は、発光体３ｂの外周形状よりも小さな形状となっている。
【００１９】
回路基板３ａの他表面側（図４では、下面側）には、発光体３ｂの第１の電極および第２の電極と電気的に接続された一対の電極部（図示せず）が配置されている。
【００２０】
発光パネル５は、上述のエレクトロルミネッセンス素子３と、エレクトロルミネッセンス素子３を収納し器具本体１に着脱自在に取り付け可能なパネル本体２とを有している。また、発光パネル５は、パネル本体２に収納されたエレクトロルミネッセンス素子３の光取出し面側（図１では、上面側）を閉塞するようにパネル本体２に取り付けられるカバー４を有している。ここにおいて、カバー４は、透光性を有している。
【００２１】
また、発光パネル５は、平面視における外周状が矩形状に形成されている。
【００２２】
パネル本体２は、絶縁性材料（例えば、合成樹脂など）により形成されている。また、パネル本体２は、器具本体１側となる裏面１５（図６および図９参照）が、器具本体１側へ凸となる曲面に形成されている。要するに、発光パネル５は、器具本体１側となる裏面１５が、曲面に形成されている。なお、本実施形態の照明器具２０では、パネル本体２の裏面１５が、第１の曲面を構成している。
【００２３】
また、パネル本体２は、カバー４側となる表面１６側に、エレクトロルミネッセンス素子３を収納可能な凹所６が設けられている。凹所６は、平面視における内周形状が矩形状に開口されている。また、凹所６の深さ寸法は、エレクトロルミネッセンス素子３の厚み寸法よりも若干大きく設定されている（図２参照）。また、凹所６の内周部には、エレクトロルミネッセンス素子３を位置決めするための位置決め部６ｂが形成されている。ここにおいて、位置決め部６ｂの形状は、エレクトロルミネッセンス素子３の外周部の形状に対応するように形成されている（図２参照）。これにより、本実施形態の照明器具２０では、エレクトロルミネッセンス素子３をパネル本体２の凹所６内に位置決めすることが可能となる。
【００２４】
カバー４は、透光性材料（例えば、アクリル樹脂、ガラスなど）により板状（本実施形態では、矩形板状）に形成されている。また、カバー４は、パネル本体２の表面１６側に配置される。本実施形態の照明器具２０では、カバー４をパネル本体２に取り付ける手段として、例えば、接着剤や粘着テープを用いているが、カバー４をパネル本体２に取り付ける手段は、これに限るものではない。
【００２５】
本実施形態の照明器具２０では、パネル本体２の裏面１５側に、発光パネル５をパネル本体２の裏面１５に沿って器具本体１にスライド自在に着脱するための取付部７が設けられている。要するに、本実施形態の照明器具２０では、発光パネル５の器具本体１側に、発光パネル５を第１の曲面もしくは第２の曲面に沿って器具本体１にスライド自在に着脱するための取付部７が設けられている。
【００２６】
取付部７は、パネル本体２の裏面１５から器具本体１側へ突出するように形成されている。なお、本実施形態の照明器具２０では、取付部７の突出寸法（厚み寸法）が、一定となっている。
【００２７】
また、取付部７は、発光パネル５のスライド方向に直交する幅方向の両側面から突出した板状（本実施形態では、矩形板状）のスライド片７ｂを有している。本実施形態の照明器具２０では、スライド片７ｂが、パネル本体２の裏面１５から離れるように配置されている。
【００２８】
器具本体１は、発光パネル５側となる一面８がパネル本体２の裏面１５に対応する曲面に形成されている。本実施形態の照明器具２０では、パネル本体２の裏面１５が凸曲面に形成され、器具本体１の一面８が凹曲面に形成されている。なお、本実施形態の照明器具２０では、器具本体１の一面８が第２の曲面を構成している。
【００２９】
また、本実施形態の照明器具２０では、器具本体１の一面８側に、パネル本体２の取付部７をスライド可能とする溝部９が設けられている。要するに、本実施形態の照明器具２０では、器具本体１の発光パネル５側に、発光パネル５の取付部７をスライド可能とする溝部９が設けられている。
【００３０】
溝部９は、器具本体１の一面８において発光パネル５の取付部７のスライド方向に沿って形成されている。また、溝部９は、発光パネル５のスライド方向の両端部が開放されており、パネル本体２の取付部７を挿抜可能となっている。具体的に説明すると、溝部９には、発光パネル５のスライド方向の両端部に、開口部９ｃが設けられている。また、溝部９には、パネル本体２の取付部７のスライド片７ｂをスライド自在に摺接可能な突片９ｂが溝部９の幅方向の両側面から内方へ突設されている。ここにおいて、本実施形態の照明器具２０では、溝部９の深さ寸法が、取付部７の厚み寸法よりも若干大きく設定されている。したがって、本実施形態の照明器具２０では、発光パネル５の取付部７を器具本体１の一面８（第２の曲面）に沿って挿抜可能、且つ、スライド可能となる。また、本実施形態の照明器具２０では、発光パネル５の取付部７のスライド片７ｂを器具本体１の溝部９に挿入することができるので、溝部９の各突片９ｂが取付部７のスライド片７ｂを保持することが可能となり、発光パネル５を器具本体１に取り付けることが可能となる。さらに、本実施形態の照明器具２０では、発光パネル５が器具本体１に取り付けられた状態において、発光パネル５の取付部７を第２の曲面に沿ってスライドさせることができるので、発光パネル５を器具本体１から取り外すことが可能となる。
【００３１】
また、器具本体１は、溝部９の各突片９ｂにおいて発光パネル５側とは反対側の各々に、発光パネル５へ給電するための第１端子１１（図４および図５など参照）が設けられている。要するに、本実施形態の照明器具２０は、溝部９に発光パネル５へ給電するための第１端子１１が設けられている。
【００３２】
各第１端子１１は、器具本体１の内部に配置され発光パネル５へ給電可能な電源ユニット（図示せず）と電気的に接続されている。上記電源ユニットは、商用電源と電源線（図示せず）を介して電気的に接続されている。なお、上記電源ユニットは、商用電源からの交流電圧を直流電圧に変換するＡＣ／ＤＣ変換部（図示せず）を有している。
【００３３】
また、パネル本体２は、器具本体１の一対の第１端子１１，１１と電気的に接続可能な一対の第２端子１２，１２を有している。
【００３４】
各第２端子１２は、エレクトロルミネッセンス素子３の回路基板３ａの他表面側に配置された上記一対の電極部に電気的に接続可能な接続部１２ａと、器具本体１の第１端子１１と電気的に接続可能な端子部１２ｂと、接続部１２ａと端子部１２ｂとを連結する連結片１２ｃとを有している。
【００３５】
各端子部１２ｂは、パネル本体２の取付部７のスライド片７ｂにおいて器具本体１側とは反対側に設けられている（図４および図５など参照）。要するに、本実施形態の照明器具２０は、取付部７に第１端子１１と電気的に接続可能な第２端子１２が設けられている。
【００３６】
ここで、各第１端子１１は、発光パネル５が器具本体１に取り付けられた状態において、各第２端子１２と電気的に接続される位置に配置される。本実施形態の照明器具２０では、各第２端子１２の端子部１２ｂが、取付部７のスライド片７ｂの上記反対側において発光パネル５のスライド方向の中央部に各別に配置されている。また、本実施形態では、各第１端子１１が、溝部９の各突片９ｂの上記反対側において発光パネル５のスライド方向の中央部に各別に配置されている。言い換えれば、各第１端子１１は、発光パネル５が器具本体１に取り付けられた状態において、各第２端子１２の端子部１２ｂに対応する位置の各々に配置されている。要するに、本実施形態の照明器具２０では、各第１端子１１を、発光パネル５が器具本体１に取り付けられた状態において、各第２端子１２と電気的に接続される位置に配置している。ここにおいて、パネル本体２の凹所６の内底部６ａには、発光パネル５が器具本体１に取り付けられた状態において各第１端子１１に対応する位置の各々に、各第２端子１２の接続部１２ａを収納する凹部１７が設けられている。各凹部１７の内底部の各々には、各第２端子１２の連結片１２ｃを挿通する挿通孔１０が貫設されている。
【００３７】
したがって、本実施形態の照明器具２０では、各第１端子１１を、発光パネル５が器具本体１に取り付けられた状態において各第２端子１２と電気的に接続される位置の各々に配置することによって、発光パネル５が器具本体１に取り付けられたときに、器具本体１の上記電源ユニットから発光パネル５へ給電可能となる。
【００３８】
なお、本実施形態の照明器具２０では、各第２端子１２の端子部１２ｂを、取付部７のスライド片７ｂの上記反対側において発光パネル５のスライド方向の中央部に各別に配置しているが、各第２端子１２の端子部１２ｂの位置は、これに限らず、発光パネル５が器具本体１に取り付けられたときに、各第１端子１１と電気的に接続可能な位置に配置してあればよい。
【００３９】
以下、本実施形態の照明器具２０において、器具本体１に対する発光パネル５の着脱方法を、図８に基づいて説明する。
【００４０】
本実施形態の照明器具２０では、発光パネル５の取付部７を器具本体１の溝部９の開口部９ｃの一方から溝部９に挿入し（図８（ａ）参照）、発光パネル５の取付部７を第２の曲面に沿ってスライドさせることによって、発光パネル５を器具本体１に取り付けることが可能となる（図８（ｂ）参照）。ここで、本実施形態の照明器具２０では、発光パネル５が器具本体１に取り付けられたときに、発光パネル５の各第２端子１２の端子部１２ｂが器具本体１の各第１端子１１と電気的に接続されるので、器具本体１の上記電源ユニットから発光パネル５へ給電可能となる。
【００４１】
また、本実施形態の照明器具２０では、発光パネル５が器具本体１に取り付けられた状態で、発光パネル５におけるスライド方向の一端部（図８では、右端部）に、カバー４の他表面（図８では、上面）に対して垂直方向に力を加えることによって、発光パネル５が第２の曲面に沿ってスライドするので、作業者などが発光パネル５における他端部（図８では、左端部）を掴むことが可能となり、発光パネル５を器具本体１から取り外すことが可能となる。
【００４２】
ところで、近年、次世代の照明器具の光源として、有機エレクトロルミネッセンス素子（以下、有機ＥＬ素子）が注目されている。有機ＥＬ素子の開発は、まだ発展途上の段階であり、住宅用や施設用の照明器具の光源として有機ＥＬ素子を使用する場合は、有機ＥＬ素子の発光面積が小さく、また、有機ＥＬ素子の寿命が１万時間ほどであるという課題がある。したがって、照明器具の光源として有機ＥＬ素子を有する発光パネル（以下、有機ＥＬパネル）を使用する場合は、複数の有機ＥＬパネルを隙間なく面一に並べて、有機ＥＬ素子の発光面積を増やして使用することが前提となる。
【００４３】
しかしながら、複数の有機ＥＬパネルを隙間なく面一に並べた照明器具では、これら複数の有機ＥＬパネルのうち１つの有機ＥＬパネルが故障や寿命などの原因により不点灯となった場合、この有機ＥＬパネルのみを着脱するのが難しかった。
【００４４】
この課題に対して、発光パネル５は、この発光パネル５のスライド方向の端部に、切欠き部５ａ（図３、図６および図９参照）が設けられることが好ましい。本実施形態の照明器具２０におけるカバー４は、発光パネル５が器具本体１に取り付けられた状態において器具本体１の溝部９の各開口部９ｃに対応する位置の各々に、第１切欠き部４ａが設けられている。また、パネル本体２は、発光パネル５が器具本体１に取り付けられた状態において溝部９の各開口部９ｃに対応する位置の各々に、第２切欠き部２ａが設けられている。ここにおいて、パネル本体２の取付部７は、発光パネル５のスライド方向の端部の各々に、傾斜面７ｃ（図２および図３など参照）が形成されている。なお、本実施形態の照明器具２０では、第１切欠き部４ａと第２切欠き部２ａと傾斜面７ｃとが、切欠き部５ａを構成している。
【００４５】
したがって、本実施形態の照明器具２０では、発光パネル５におけるスライド方向の端部に切欠き部５ａが設けられているので、複数個の照明器具２０を隙間なく面一に並べて使用した場合、複数個の発光パネル５のうち１個の発光パネル５のみを着脱するときに、この発光パネル５が隣り合う照明器具２０に干渉するのを防止することが可能となる（図１０参照）。
【００４６】
また、器具本体１の一面８側には、発光パネル５側へ突出する凸部１３が設けられることが好ましい。また、パネル本体２の裏面１５側には、発光パネル５が器具本体１に取り付けられた状態において、器具本体１の凸部１３が係合する凹部１４（図５、図６および図８参照）が設けられることが好ましい。
【００４７】
本実施形態の照明器具２０では、凸部１３が、溝部９の内底面に配置されている。ここで、本実施形態の照明器具２０では、凸部１３を、溝部９の内底面において発光パネル５のスライド方向の中央部に配置しているが、凸部１３の位置は、これに限らず、発光パネル５が器具本体１に取り付けられたときに、発光パネル５の凹部１４に係合可能な位置に配置してあればよい。
【００４８】
また、本実施形態の照明器具２０では、凹部１４が、取付部７のスライド片７ｂにおいて器具本体１側に配置されている。ここで、本実施形態の照明器具２０では、凹部１４を、取付部７のスライド片７ｂの器具本体１側において発光パネル５のスライド方向の中央部に配置している。言い換えれば、本実施形態の照明器具２０では、凹部１４を、発光パネル５が器具本体１に取り付けられた状態において、器具本体１の凸部１３が係合する位置に配置している。なお、本実施形態の照明器具２０では、一例として凸部１３を溝部９の内底面に配置しているが、凸部１３の配置は、これに限らず、器具本体１の一面８側に配置してあればよい。また、本実施形態の照明器具２０では、一例として凹部１４を取付部７のスライド片７ｂにおいて器具本体１側に配置しているが、凹部１４の配置は、これに限らず、発光パネル５の裏面１５側に配置してあればよい。
【００４９】
したがって、本実施形態の照明器具２０では、器具本体１の一面８側に凸部１３が設けられ、パネル本体２の裏面１５側に、発光パネル５が器具本体１に取り付けられた状態において、器具本体１の凸部１３が係合する凹部１４が設けられているので、発光パネル５が器具本体１に取り付けられたときに、発光パネル５と器具本体１との位置ずれを防止することが可能となる。また、本実施形態の照明器具２０では、発光パネル５が器具本体１に取り付けられるときに、器具本体１の凸部１３が発光パネル５の凹部１４に係合して作業者などにクリック感を与えることができるので、作業者などが器具本体１に対して発光パネル５を正しく取り付けたことを認識することが可能となる。
【００５０】
また、本実施形態の照明器具２０では、凸部１３の高さ寸法が、凹部１４の深さ寸法よりも大きく設定されることが好ましい。これにより、本実施形態の照明器具２０では、発光パネル５が器具本体１に取り付けられると、器具本体１の凸部１３が、発光パネル５の凹部１４により取付部７のスライド片７ｂを発光パネル５側へ押し上げる（図５（ｂ）参照）ので、器具本体１の一対の第１端子１１，１１と発光パネル５の一対の第２端子１２，１２との接触圧を高めることが可能となり、各第１端子１１と各第２端子１２との電気的な接続性を向上させることが可能となる。
【００５１】
なお、本実施形態の照明器具２０では、凸部１３を、器具本体１の一面８側に設けているが、発光パネル５の裏面１５側に設けてもよい。また、本実施形態の照明器具２０では、凹部１４を、発光パネル５の裏面１５側に設けているが、器具本体１の一面８側に設けてもよい。
【００５２】
以上説明した本実施形態の照明器具２０では、発光パネル５は、器具本体１側となる裏面１５が第１の曲面に形成され、器具本体１は、発光パネル５側となる一面８が第１の曲面に対応する第２の曲面に形成されており、発光パネル５の器具本体１側に、発光パネル５を第１の曲面もしくは第２の曲面に沿って器具本体１にスライド自在に着脱するための取付部７が設けられ、器具本体１の発光パネル５側に取付部７をスライド可能とする溝部９が設けられているので、器具本体１に対して発光パネル５を着脱するための作業性を向上させることが可能となる。
【００５３】
（実施形態２）
以下、本実施形態の照明器具２０について、図１１に基づいて説明する。
【００５４】
本実施形態の照明器具２０の基本構成は実施形態１と同じであり、取付部７が器具本体１に設けられ、溝部９が発光パネル５に設けられる点などが実施形態１と相違する。なお、実施形態１と同様の構成要素には同一の符号を付して説明を適宜省略する。
【００５５】
本実施形態の照明器具２０は、器具本体１の一面８側に、取付部７が設けられている。要するに、本実施形態の照明器具２０では、器具本体１の発光パネル５側に、発光パネル５を第１の曲面もしくは第２の曲面に沿って器具本体１にスライド自在に着脱するための取付部７が設けられている。取付部７は、器具本体１の一面８において発光パネル５のスライド方向に沿って形成されている。
【００５６】
また、器具本体１は、取付部７のスライド片７ｂにおいて発光パネル５側とは反対側に、一対の第１端子１１，１１が設けられている。要するに、本実施形態の照明器具２０は、取付部７に発光パネル５へ給電するための第１端子１１が設けられている。
【００５７】
各第１端子１１は、取付部７のスライド片７ｂの上記反対側において取付部７の幅方向に沿った方向の端部の各々に設けられている。本実施形態の照明器具２０では、各第１端子１１が、取付部７のスライド片７ｂの上記反対側において発光パネル５のスライド方向の中央部に各別に配置されている。
【００５８】
また、本実施形態の照明器具２０では、凸部１３が、器具本体１の取付部７のスライド片７ｂにおいて発光パネル５側へ突出するように設けられている。要するに、本実施形態では、器具本体１の一面８側に凸部１３が設けられている。ここにおいて、本実施形態の照明器具２０では、凸部１３が、取付部７のスライド片７ｂの発光パネル５側において発光パネル５のスライド方向の中央部に配置されている。
【００５９】
また、本実施形態の照明器具２０は、パネル本体２の裏面１５に、溝部９が設けられている。要するに、本実施形態の照明器具２０では、発光パネル５の器具本体１側に、器具本体１の取付部７をスライド可能とする溝部９が設けられている。この溝部９は、パネル本体２の裏面１５において発光パネル５のスライド方向に沿って形成されている。
【００６０】
また、パネル本体２は、溝部９の各突片９ｂにおいて器具本体１側とは反対側の各々に、器具本体１の各第１端子１１と各別に電気的に接続可能な第２端子１２の端子部１２ｂが設けられている。要するに、本実施形態の照明器具２０は、溝部９に器具本体１の第１端子１１と電気的に接続可能な第２端子１２が設けられている。
【００６１】
各第２端子１２の端子部１２ｂは、溝部９の各突片９ｂの上記反対側において発光パネル５のスライド方向の中央部に各別に配置されている。言い換えれば、各第２端子１２の端子部１２ｂは、発光パネル５が器具本体１に取り付けられた状態において、各第１端子１１に対応する位置の各々に配置されている。要するに、本実施形態の照明器具２０における第１端子１１は、発光パネル５が器具本体１に取り付けられた状態において、第２端子１２と電気的に接続される位置に配置されている。
【００６２】
また、カバー４は、発光パネル５が器具本体１に取り付けられた状態においてパネル本体２の溝部９の各開口部９ｃに対応する位置の各々に、第１切欠き部４ａが設けられている。なお、本実施形態の照明器具２０では、第１切欠き部４ａと開口部９ｃとが、切欠き部５ａを構成している。
【００６３】
また、本実施形態の照明器具２０では、凹部１４が、パネル本体２の溝部９の内底部に設けられている。また、本実施形態では、凹部１４が、溝部９の内底部において発光パネル５のスライド方向の中央部に配置されている。言い換えれば、凹部１４は、発光パネル５が器具本体１に取り付けられた状態において、器具本体１の凸部１３が係合する位置に配置されている。要するに、本実施形態でも、発光パネル５の裏面１５側に、発光パネル５が器具本体１に取り付けられた状態において、器具本体１の凸部１３が係合する凹部１４が設けられている。
【００６４】
ここにおいて、本実施形態の照明器具２０では、各第２端子１２の端子部１２ｂを、溝部９の各突片９ｂの上記反対側において発光パネル５のスライド方向の中央部に各別に配置しているが、各第２端子１２の端子部１２ｂの位置は、これに限らず、発光パネル５が器具本体１に取り付けられたときに、各第１端子１１と電気的に接続可能な位置に配置してあればよい。また、本実施形態の照明器具２０では、凸部１３を、取付部７のスライド片７ｂの発光パネル５側において発光パネル５のスライド方向の中央部に配置しているが、凸部１３の位置は、これに限らず、発光パネル５が器具本体１に取り付けられたときに、発光パネル５の凹部１４に係合可能な位置に配置してあればよい。また、本実施形態の照明器具２０では、一例として凸部１３を取付部７のスライド片７ｂにおいて発光パネル５側に配置しているが、凸部１３の配置は、これに限らず、器具本体１の一面８側に配置してあればよい。また、本実施形態の照明器具２０では、一例として凹部１４を溝部９の内底部に配置しているが、凹部１４の配置は、これに限らず、発光パネル５の裏面１５側に配置してあればよい。
【００６５】
したがって、本実施形態の照明器具２０では、発光パネル５は、器具本体１側となる裏面１５が第１の曲面に形成され、器具本体１は、発光パネル５側となる一面８が第１の曲面に対応する第２の曲面に形成されており、器具本体１の発光パネル５側に発光パネル５を第１の曲面もしくは第２の曲面に沿って器具本体１にスライド自在に着脱するための取付部７が設けられ、発光パネル５の器具本体１側に取付部７をスライド可能とする溝部９が設けられているので、器具本体１に対して発光パネル５を着脱するための作業性を向上させることが可能となる。
【符号の説明】
【００６６】
１  器具本体
３  エレクトロルミネッセンス素子
５  発光パネル
５ａ  切欠き部
７  取付部
８  一面
９  溝部
１１  第１端子
１２  第２端子
１３  凸部
１４  凹部
１５  裏面
２０  照明器具
【図１】
0005842132.tif 000002
【図２】
0005842132.tif 000003
【図３】
0005842132.tif 000004
【図４】
0005842132.tif 000005
【図５】
0005842132.tif 000006
【図６】
0005842132.tif 000007
【図７】
0005842132.tif 000008
【図８】
0005842132.tif 000009
【図９】
0005842132.tif 000010
【図１０】
0005842132.tif 000011
【図１１】
0005842132.tif 000012
【図１２】
0005842132.tif 000013